(57)【特許請求の範囲】
【請求項１】
吸熱材を担持したシート状物を波型に加工・積層し、一体化するよう結束した耐火及び防火用積層構造体であって、積層されたシート状物の相対する一対の外縁部分の左右の一部を結束することで、自立性及び柔軟性を備えたことを特徴とする耐火及び防火用積層構造体。
【請求項２】
シート状物の波型がコルゲート加工によって形成されていることを特徴とする請求項１に記載の耐火及び防火用積層構造体。
【請求項３】
シート状物の波型がピッチ５〜２０ｍｍ、山高が５〜１５ｍｍであることを特徴とする請求項１又は２に記載の耐火及び防火用積層構造体。
【請求項４】
シート状物の積層体が糸、ステープル、クリップによって結束されていることを特徴とする請求項１〜３のいずれかに記載の耐火及び防火用積層構造体。
【請求項５】
請求項１〜４のいずれかに記載の耐火及び防火用積層構造体を建築物の内部に配置することを特徴とする耐火及び防火構造。
【発明の詳細な説明】
【技術分野】
【０００１】
本願発明は、建築物の内部に配置する耐火及び防火用構造体であって、吸熱材を担持したシート状物を波型に加工、積層し、一体化するよう結束した積層体と、これを用いた耐火及び防火構造に関するものである。
【背景技術】
【０００２】
従来から、建築物の内部に配置する耐火及び防火性能を向上させるための方法としては、耐火性及び防火性に優れた材料を、建築物の壁面や柱、梁等に貼りつけるものが知られている。例えば、特許文献１には、高温に加熱されたとき軟化し溶融することなく１０５０℃においても繊維形態を維持する結晶質の繊維に変化する耐熱性ロックウールからなるフェルトと可撓性無機質表面材（無機繊維クロス、アルミ加工クロス等）との積層物よりなる耐火被覆材が開示されている。
【特許文献１】特開平１０−１５２９１３号公報
【発明の開示】
【発明が解決しようとする課題】
【０００３】
しかしながら、これらの耐火・防火材料は、それ自体では自立しないため、壁面や柱、梁等の貼りつける対象物を必要とし、設置場所が限定されるという問題点があった。また、貼り付ける対象物の表面に設置するため、建築物内の居住スペースが小さくなるという問題点があった。
【０００４】
そこで、本発明は、上述した問題点を解決するためになされたものであって、自立する構造体であって、かつ変形に耐え得る柔軟性があり、耐火及び防火性に優れた構造体を提供することを目的とするものである。
【課題を解決するための手段】
【０００５】
上記目的を達成するために、本願発明の第１の発明は、吸熱材を担持したシート状物を波型に加工・積層し、一体化するよう結束した積層構造体であって、積層されたシート状物の外縁部分の一部を結束することを特徴とするものである。
第２の発明は、シート状物の波型がコルゲート加工によって形成されていることを特徴とする同積層構造体である。
第３の発明は、シート状物の波型がピッチ５〜２０ｍｍ、山高が５〜１５ｍｍであることを特徴とする同積層構造体である。
第４の発明は、シート状物の積層体が糸、ステープル、クリップによって結束されていることを特徴とする同積層構造体である。
第５の発明は、第１〜第４の発明に係る積層構造体を建築物の内部に配置することを特徴とする耐火及び防火構造である。
【発明の効果】
【０００６】
本願発明によれば、次のような効果を有する。
（１）シート状物を波型に加工・積層して一体化するよう結束した積層構造体であるため、自立する構造となっており、建物の隙間に自立して配置することができる。
（２）シート状物の外縁部分の一部を結束することで、変形に耐え得る柔軟性があり、狭い空間でも施工が容易である。
（３）吸熱材を担持したシート状物を使用しているので、火災時に吸熱反応によって建物の温度上昇を防ぐことができる。
（４）シート状物を波型に加工・積層しているので、シート状物間に空間が形成され、吸熱材が脱水しやすく、火災時に速やかに脱水して建物の温度上昇を防ぐことができる。
【発明を実施するための最良の形態】
【０００７】
本願発明の実施形態を図面に基づいて説明する。
図１は、本願発明に係る積層構造体を示す説明図である。
図１に示す積層構造体１０は、吸熱材を担持したシート状物２０，２０，…を波型に加工・積層し、一体化するよう結束したものである。シート状物２０，２０，…の結束は、積層されたシート状物２０，２０，…の相対する一対の外縁部分２１，２１をステープル３０で固定するものである。この結束には、ステープル３０以外にも、糸やクリップなどを使用してもよい。また、ステープル３０等で結束する部分は、シート状物２０，２０，…の相対するもう一対の外縁部分２２，２２であってもよい。
【０００８】
積層構造体１０は、波型に加工されたシート状物２０を複数枚（例えば、９枚）積層するものであるが、外縁部分２１，２１（又は外縁部分２２，２２）を結束するのみで、その他の部分は強制的に結束するものではない。これによって、変形に耐え得る柔軟性があり、狭い空間でも施工が容易な積層構造体１０を提供できる。また、図１のＡ断面部分を拡大した図２の断面拡大図に示すように、シート状物２０は上下に位置するシート状物２０と部分的には接するものの、その他の部分においては接することなく積層することで、シート状物２０，２０間に空間１１を形成し、吸熱材が脱水しやすい積層構造体１０を提供できる。
【０００９】
図３は、図１に示す積層構造体１０を構成するシート状物２０の説明図である。
シート状物２０の波は、ピッチ（Ｐ）が通常２〜３０ｍｍ、好ましくは５〜２０ｍｍであり、山の高さ（ｈ）が通常１〜２０ｍｍ、好ましくは５〜１５ｍｍである。また、シート状物２０の波をコルゲート加工によって成形する場合、シート状物の厚さは、０．１〜２ｍｍ位になる。さらに、シート状物２０には、吸熱材（図示省略）を担持しているので、火災時に吸熱反応によって建物の温度上昇を防ぐことができる。ここで、吸熱材とは、例えば、水酸化アルミニウム、石膏、シリカゲル，ゼオライト，水酸化銅，硫酸マグネシウム水和物，硫酸アルミニウム水和物，リン酸マグネシウム水和物，リン酸鉄，フッ化鉄，フッ化アルミニウムなどである。
【００１０】
図４は、図１に示す積層構造体の製造方法（一例）を示す説明図である。
まず、所定の寸法にカットされたシート状物２０ａ（原紙）を用意する。
次に、このシート状物２０ａをコルゲーター（コルゲートマシン）４０に搬送し、段ロール４１，４２によってシート状物２０ａをコルゲート加工（平板状物を波形状物に加工）する。
そして、コルゲート加工されたシート状物２０を積層し、積層されたシート状物２０，２０，…をステープル３０で結束して積層構造体１０を完成する。
なお、この積層構造体１０の製造方法はその一例であり、この他の製造方法で製造することも勿論可能である。
【００１１】
図５は、図１に示す積層構造体を利用した耐火及び防火構造を示す説明図（その１）である。
図５では、積層構造体１０を利用した「軒天換気構造」の耐火及び防火構造を示す。まず、「軒天換気構造」は、外装板５１に設けられた軒天通気見切り金物５２に支持されるようにして、軒先から垂下する破風板５３と外装板５１との間に軒天板５０が取り付けられている。
【００１２】
そして、本願発明では、火災に際して、この軒天板５０を介して熱が小屋裏５９に伝播し小屋裏５９内の温度が上昇することを防止するため、小屋裏５９内に積層構造体１０を使用するものである。すなわち、積層構造体１０を軒天板５０に載置することで、吸熱材を担持したシート状物２０の吸熱効果及び空間１１による速やかな脱水によって、軒天板５０からの被熱を遅延することで、小屋裏の木質部を延焼しにくくすることができるのである。また、積層構造体１０は自立性及び柔軟性があるので、様々な構造の小屋裏５９内にも対応できて施工が容易である。
【００１３】
図６は、図１に示す積層構造体を利用した耐火及び防火構造を示す説明図（その２）である。
図６では、積層構造体１０を利用した「間仕切構造」の耐火及び防火構造を示す。まず、「間仕切構造」は、水平方向に設けられた略コ字形をした上部ランナー６１及び下部ランナー６２をつなぐように垂直方向等間隔に取り付けられた間柱（スタッド）６３，６３，…と、その間柱６３に向かい合うようにして取り付けられる一対の間仕切壁６０とを備えている。この間仕切壁６０は、下張材６４と上張材６５からなっている。
【００１４】
そして、本願発明では、火災に際して、一方の間仕切壁６０側から加熱されたとき、間柱６３を通って他方の間仕切壁６０側へ熱が伝わることを防止するため、間仕切壁６０，６０間に形成される中空部６６に積層構造体１０を使用するものである。すなわち、積層構造体１０を中空部６６に配置することで、吸熱材を担持したシート状物２０の吸熱効果及び空間１１による速やかな脱水によって、一方の間仕切壁６０側からの被熱を遅延することができるのである。また、積層構造体１０は自立性及び柔軟性があるので、様々な構造の中空部６６内にも対応できて施工が容易である。
【産業上の利用可能性】
【００１５】
本願発明は、建築物の内部に自立して配置できる耐火及び防火性能を向上させるための部材として幅広く利用できるものである。
【図面の簡単な説明】
【００１６】
【図１】本願発明に係る積層構造体を示す説明図。
【図２】図１に示す積層構造体のＡ断面拡大図。
【図３】図１に示す積層構造体を構成するシート状物の説明図。
【図４】図１に示す積層構造体の製造方法（一例）を示す説明図。
【図５】図１に示す積層構造体を利用した耐火及び防火構造を示す説明図（その１）。
【図６】図１に示す積層構造体を利用した耐火及び防火構造を示す説明図（その２）。
【符号の説明】
【００１７】
１０  積層構造体    １１  空間
２０  シート状物（２０ａ：原紙）    ２１  外縁部分    ２２  外縁部分
３０  ステープル
４０  コルゲーター（コルゲートマシン）
４１  段ロール（上側）  ４２  段ロール（下側）
５０  軒天板    ５１  外装板    ５２  軒天通気見切り金物    ５３  破風板
５９  小屋裏
６０  間仕切壁    ６１  上部ランナー    ６２  下部ランナー  
６３  間柱（スタッド）    ６４  下張材    ６５  上張材    ６６  中空部
【図１】
0005283428.tif 000002
【図２】
0005283428.tif 000003
【図３】
0005283428.tif 000004
【図４】
0005283428.tif 000005
【図５】
0005283428.tif 000006
【図６】
0005283428.tif 000007